(57)【要約】【課題】  スプーンが容器から容易に着脱することが可能で、輸送時や使用時にスプーンが粉体中に埋もれることのないスプーン付き容器を提供する。【解決手段】  収納部１１を有する容器本体１０と、容器本体１０の開口部と嵌合する蓋２０と、容器本体１０と蓋２０との間に収納される計量スプーン３０とを有するスプーン付き容器１において、容器本体１０は、前記開口部を介して相対する側面両側に設けられて前記計量スプーン３０の先端部３５および後端部３３を支持する一対のスプーン載置部４１と、それぞれのスプーン載置部４１の両側に設けられた位置決め突起４３とを有し、閉蓋時に、計量スプーン３０のスプーン載置部４１からの脱落が、スプーン載置部４１に対面する位置に配置された蓋２０によって防止されるようになっていることを特徴とするスプーン付き容器１を用いる。【選択図】  図５
2006111294.tif 000002
【特許請求の範囲】
【請求項１】
収納部を有する容器本体と、前記容器本体の開口部と嵌合する蓋と、前記容器本体と前記蓋との間に収納される計量スプーンとを有するスプーン付き容器において、
前記容器本体は、前記開口部を介して相対する側面両側に設けられて前記計量スプーンの先端部および後端部が載置される一対のスプーン載置部と、それぞれのスプーン載置部の両側に設けられた位置決め突起とを有し、
閉蓋時に、前記計量スプーンの前記スプーン載置部からの脱落が、前記スプーン載置部に対面する位置に配置された前記蓋によって防止されるようになっていることを特徴とするスプーン付き容器。
【請求項２】
収納部を有する容器本体と、前記容器本体の開口部と嵌合する蓋と、前記容器本体と前記蓋との間に収納される計量スプーンとを有するスプーン付き容器において、
前記容器本体は、前記開口部を介して相対する側面両側に設けられた一対のスプーン固定用突起と、それぞれのスプーン固定用突起の両側に設けられた位置決め突起とを有し、
前記計量スプーンの把持部の後端部には、該計量スプーンの計量部が開口する側とは反対側の面に、前記スプーン固定用突起と係合可能な係合凸部が設けられており、
閉蓋時に、前記容器本体のスプーン固定部と前記蓋とによって前記計量スプーンが固定されるようになっていることを特徴とするスプーン付き容器。
【請求項３】
前記スプーン固定用突起が容器本体の側壁上端部に上向きに突出されている請求項２に記載のスプーン付き容器。
【請求項４】
収納部を有する容器本体と、前記容器本体の開口部と嵌合する蓋と、前記容器本体と前記蓋との間に収納される計量スプーンとを有するスプーン付き容器において、
前記容器本体は、前記開口部を介して相対する側面両側に設けられて前記計量スプーンの先端部および後端部が載置される一対のスプーン収納用段差部と、それぞれのスプーン収納用段差部の両側に設けられた位置決め突起とを有し、
前記蓋には、前記スプーン収納用段差部に対面する位置に前記計量スプーンを係止するためのスプーン係止用突起を１つ以上有し、
閉蓋時に、前記容器本体のスプーン収納用段差部に収納された前記計量スプーンが、前記蓋のスプーン係止用突起によって係止されるようになっていることを特徴とするスプーン付き容器。
【請求項５】
収納部を有する容器本体と、前記容器本体の開口部と嵌合する蓋と、前記容器本体と前記蓋との間に収納される計量スプーンとを有するスプーン付き容器において、
前記容器本体は、前記開口部を介して相対する側面両側に設けられて前記計量スプーンの先端部および後端部が載置される一対のスプーン収納用段差部と、それぞれのスプーン収納用段差部の両側に設けられた位置決め突起とを有し、
閉蓋時に、前記計量スプーンの前記スプーン収納用段差部からの脱落が、前記蓋によって防止されるようになっていることを特徴とするスプーン付き容器。
【請求項６】
計量スプーンの先端部と後端部が同一幅とされて、容器本体一側の前記両位置決め突起間と容器本体他側の前記両位置決め突起間に対して、前記計量スプーンがその先端部と後端部を入れ換えて収納自在とされてなる請求項１ないし５のいずれかに記載のスプーン付き容器。
【発明の詳細な説明】
【技術分野】
【０００１】
本発明は、粉体を計量するための計量スプーンを有するスプーン付き容器に関する。
【背景技術】
【０００２】
洗剤等、粉体を容器に充填した商品では、粉体を計量する計量スプーンを同封する場合がある。これは、物流の合理化や環境問題への取り組みから粉体洗剤の濃縮化が進み、計量の重要性が増したからである。
しかし、単にスプーンを同封すると、輸送時や落下時などの振動や衝撃を受けたときにスプーンが容器から脱落したり、粉体中に埋もれてしまう場合があり、使用性の点から不都合が生じている。特に台所や洗濯機の周辺など、指先が濡れることの多い場所では、粉が指に触れることが嫌がられる。スプーンが粉体中に潜り込んでしまうと、スプーンを取り出す際に、手に粉体が付着したり、粉体が濡れたりすることがある。スプーンの把持部が粉体中に埋まっている場合には、計量部をつまんで取り出すこともあるが、この場合にはスプーンを取り出した後に持ちかえて使用することになり、不便である。
これらの不都合を改善するために、スプーンを容器または蓋に固定することが提案されている（例えば特許文献１〜３参照）。しかし、従来の提案では、使用の際にスプーンを着脱する煩雑さが生じている。
【特許文献１】実開昭６３−９７６３４号公報
【特許文献２】実開昭６４−１１９９０号公報
【特許文献３】実開平４−２９９１４号公報
【発明の開示】
【発明が解決しようとする課題】
【０００３】
本発明は、上記の不都合を改善するため、スプーンが容器から容易に着脱することが可能で、輸送時や使用時にスプーンが粉体中に埋もれることのないスプーン付き容器を提供することを課題とする。
【課題を解決するための手段】
【０００４】
前記課題を解決するため、本発明は、収納部を有する容器本体と、前記容器本体の開口部と嵌合する蓋と、前記容器本体と前記蓋との間に収納される計量スプーンとを有するスプーン付き容器において、前記容器本体は、前記開口部を介して相対する側面両側に設けられて前記計量スプーンの先端部および後端部が載置される一対のスプーン載置部と、それぞれのスプーン載置部の両側に設けられた位置決め突起とを有し、閉蓋時に、前記計量スプーンの前記スプーン載置部からの脱落が、前記スプーン載置部に対面する位置に配置された前記蓋によって防止されるようになっていることを特徴とするスプーン付き容器を提供する。
【０００５】
また、本発明は、収納部を有する容器本体と、前記容器本体の開口部と嵌合する蓋と、前記容器本体と前記蓋との間に収納される計量スプーンとを有するスプーン付き容器において、前記容器本体は、前記開口部を介して相対する側面両側に設けられた一対のスプーン固定用突起と、それぞれのスプーン固定用突起の両側に設けられた位置決め突起とを有し、前記計量スプーンの把持部の後端部には、該計量スプーンの計量部が開口する側とは反対側の面に、前記スプーン固定用突起と係合可能な係合凸部が設けられており、閉蓋時に、前記容器本体のスプーン固定部と前記蓋とによって前記計量スプーンが固定されるようになっていることを特徴とするスプーン付き容器を提供する。
このスプーン付き容器においては、前記スプーン固定用突起が容器本体の側壁上端部に上向きに突出されていることが好ましい。
【０００６】
また、本発明は、収納部を有する容器本体と、前記容器本体の開口部と嵌合する蓋と、前記容器本体と前記蓋との間に収納される計量スプーンとを有するスプーン付き容器において、前記容器本体は、前記開口部を介して相対する側面両側に設けられて前記計量スプーンの先端部および後端部が載置される一対のスプーン収納用段差部と、それぞれのスプーン収納用段差部の両側に設けられた位置決め突起とを有し、前記蓋には、前記スプーン収納用段差部に対面する位置に前記計量スプーンを係止するためのスプーン係止用突起を１つ以上有し、閉蓋時に、前記容器本体のスプーン収納用段差部に収納された前記計量スプーンが、前記蓋のスプーン係止用突起によって係止されるようになっていることを特徴とするスプーン付き容器を提供する。
【０００７】
また、本発明は、収納部を有する容器本体と、前記容器本体の開口部と嵌合する蓋と、前記容器本体と前記蓋との間に収納される計量スプーンとを有するスプーン付き容器において、前記容器本体は、前記開口部を介して相対する側面両側に設けられて前記計量スプーンの先端部および後端部が載置される一対のスプーン収納用段差部と、それぞれのスプーン収納用段差部の両側に設けられた位置決め突起とを有し、閉蓋時に、前記計量スプーンの前記スプーン収納用段差部からの脱落が、前記蓋によって防止されるようになっていることを特徴とするスプーン付き容器を提供する。
【０００８】
また、本発明は、上述のスプーン付き容器において、計量スプーンの先端部と後端部が同一幅とされて、容器本体一側の前記両位置決め突起間と容器本体他側の前記両位置決め突起間に対して、前記計量スプーンがその先端部と後端部を入れ換えて収納自在とされてなるスプーン付き容器を提供する。
【発明の効果】
【０００９】
本発明のスプーン付き容器によれば、輸送時の振動などによってスプーンが粉体中に潜り込むことがない。このため、初回開封使用時に指先が粉に触れることなくスプーンを取り出し、その状態でスプーンを持ちかえることなく使用することができる。
また、使用後には計量スプーンを容易に容器に取り付けることができ、保管中にスプーンが粉体中に潜り込むことがない。このため、２回目以降の使用時においても、指先が粉に触れることなくスプーンを取り出し、その状態でスプーンを持ちかえることなく使用することができる。
【発明を実施するための最良の形態】
【００１０】
以下、最良の形態に基づき、図面を参照して本発明を説明する。
図１〜図６は、本発明のスプーン付き容器の第１形態例を示す図面であり、図１はスプーン付き容器の部分切欠斜視図、図２および図３は容器の断面図、図４および図５は計量スプーンが容器に固定された状態を示す断面図、図６はスプーンの長手方向に沿う断面図である。図１では、手前側のスプーン係止用凹所が見えるように、つば部の一部を切り欠いている。
【００１１】
図１に示すように、本形態例のスプーン付き容器１は、収納部１１を有する容器本体１０と、この容器本体１０の開口部１２と嵌合する蓋２０と、容器本体１０と蓋２０との間に収納される計量スプーン３０（以下、計量スプーンを単に、スプーンということがある。）とを有する。容器本体１０と蓋２０とにより、容器２が構成されている。
容器本体１０、蓋２０、およびスプーン３０は、適宜のプラスチックから、インジェクション成形、シート成形、あるいはブロー成形によって得ることができる。容器本体１０、蓋２０、およびスプーン３０の材質は、上記の成形方法に用いられるものであれば制限はなく、例えば、ポリプロピレン（ＰＰ）、ポリエチレン（ＰＥ）、ポリエチレンテレフタレート（ＰＥＴ）などが挙げられる。
【００１２】
図２，図３に示すように、容器本体１０は、収納部１１の周囲を取り囲む側壁１３と、この側壁１３の一側を塞ぐ底部１４とにより、箱状に形成されている。側壁１３の底部１４とは反対側には、前記収納部１１に通じる開口部１２が開口している。
側壁１３は、開口部１２側から底部１４側に向かって横断面積が小さくなるように内側に傾斜している。これにより容器本体１０は、別の容器本体１０Ａ（図３に二点鎖線で示す）をその底部１４Ａから積み重ね（スタッキング）が可能になっている。
スタッキングされた別の容器本体１０Ａの底部１４Ａを支持するため、容器本体１０の側壁１３の内側には、底部１４側から延びるリブ１５が一体に成形されている。
容器本体１０の開口部１２の周縁には、段差部１６を介して側壁１３から外側に突出したつば部１７が形成されている。また、このつば部１７の外面には、図２に示すように、ヒンジ軸受け部１８が突設されている。
【００１３】
図１等に示すように、蓋２０は、板状の蓋本体２１と、この蓋本体２１の周囲に形成された嵌合部２２と、嵌合部２２の外縁部に相対して設けられたヒンジ軸２３およびつまみ２４とを備えて構成されている。
嵌合部２２は、容器本体１０のつば部１７と嵌合可能に形成されている。蓋２０の嵌合部２２が容器本体１０のつば部１７と嵌合することにより、蓋２０が容器本体１０に対して着脱自在に嵌合し、開口部１２が密閉されるようになっている。
ヒンジ軸２３は、ヒンジ軸受け部１８に対して回動可能に取り付けられている。ヒンジ軸２３とヒンジ軸受け部１８によって容器本体１０と蓋２０を連結するヒンジが構成される。これによって、容器本体１０に対して蓋２０を自在に開閉することができる。
【００１４】
図１、図６に示すように、スプーン３０は、粉体を計量するための計量部３１と、この計量部３１から延出された把持部３２とを備えて構成されている。把持部３２の後端部３３には、計量部３１が開口する側（図６の上側）とは反対側の面に突設された係合凸部３４が設けられている。また、計量部３１の先端部３５には、スプーンの長手方向（図６の左右方向）に延びる突出片３６が形成されている。
なお、本形態例のスプーン付き容器１に適用できるスプーンの改変例として、図７に示すスプーン３０Ａは、計量部３１に計量用段差部３７が設けられている。このようなスプーン３０Ａによれば、計量部３１を全部満たした場合の量と、計量用段差部３７の高さまで充填する量とにより、計量可能な量を２通りから選択することができる。
【００１５】
図１に示すように、本形態例のスプーン付き容器１において、容器本体１０の段差部１６の上面側には、開口部１２を介して相対する両側に、スプーン固定用突起４１を備えたスプーン固定部４０，４０が設けられている。一方のスプーン固定部４０は、ヒンジ軸受け部１８の側に設けられており、他方のスプーン固定部４０は、ヒンジ軸受け部１８とは反対の側に設けられている。
本形態例においては、スプーン固定用突起４１は側壁１３の延長上に上向きに突出されているものとなっている。このため、スプーン固定用突起４１は側壁１３より内側に突出することなく形成されるので、容器本体１０の成形時にアンダーカットとならず、成形が容易になる。なお、本発明におけるスプーン固定用突起は、計量スプーン３０の係合凸部３４と係合可能であれば上記形態の他、側壁から水平に突出した突起や鉤状（Ｌ字型）の突起など、種々の形態を採用可能である。
スプーン固定用突起４１とつば部１７の内面との間には隙間が設けられており、この隙間は、スプーン３０の係合凸部３４が差し込まれるスプーン係止用凹所４２となっている。
【００１６】
図４、図５に示すように、スプーン３０は、その係合凸部３４をスプーン係止用凹所４２に差し込むことにより、把持部３２の後端部３３が一方のスプーン固定用突起４１に係止される。このとき、計量部３１の先端部３５は他方のスプーン固定用突起４１の側に向けられるが、他方のスプーン固定用突起４１の上に計量部先端部３５の突出片３６が載せられる。また、蓋２０を閉じた状態では、蓋本体２１の下面はスプーン３０の若干上方に位置しており、蓋２０によってスプーン３０の上方への移動が制限を受けるので、スプーン３０がスプーン固定用突起４１から外れることなく、スプーン固定用突起４１と蓋２０によってスプーン３０が固定される。これにより、スプーン固定用突起４１からのスプーン３０の脱落を防止することができる。
本形態例のスプーン付き容器１においては、図４に実線と二点鎖線とで図示するように、スプーン３０の向きを左右入れ換えてもスプーン３０の固定が可能であり、スプーン３０の向きを選ぶ必要がない。
【００１７】
それぞれのスプーン固定用突起４１の両側には、スプーン固定用突起４１に係止されたスプーン３０の横ずれを防止するための位置決め突起４３が形成されている。ここでは、位置決め突起４３は、容器本体１０の段差部１６とつば部１７との間の内隅部にリブ状に形成されている。
位置決め突起４３は、スプーン固定用突起４１に対して隙間４４を介して分離されている。スプーン固定用突起４１と位置決め突起４３とが分離されていることにより、スプーン係止用凹所４２に粉体が入り込んだとしても、容易に収納部１１へと落として除去することができる。従って、スプーン３０の係止不良が防止される。
【００１８】
次に、本発明の第１形態例に係るスプーン付き容器１の使用形態について説明する。
容器２にスプーン３０を収納するには、図１に示すように、把持部３２の後端部３３が一方のスプーン固定用突起４１に係止されるとともに、計量部３１の先端部３５が他方のスプーン固定用突起４１の上に載るようにして置く。そして、図５に示すように、蓋２０を閉めることにより、スプーン３０が容器本体１０のスプーン固定用突起４１と蓋２０の蓋本体２１との間に挟みこまれて固定される。
なお、粉体は、図２に示すように、スプーン３０が固定された状態で粉体の上面３がスプーン３０の下方となるまで充填することができる。なお、粉体の充填は、スプーン３０の取り付けの前または後に行うことができる。
【００１９】
本形態例のスプーン付き容器１によれば、スプーン３０，３０Ａをスプーン固定用突起４１と蓋２０とにより挟み込んで係止しているので、輸送時などに発生しうる振動や衝撃などによってスプーン３０，３０Ａが外れることがなく、スプーン３０，３０Ａが粉体中に潜り込むことがない。また、スプーン３０，３０Ａは、粉体をすくいやすいように、計量部３１が上向きに開口する姿勢で係止される。このため、初回開封使用時に指先が粉に触れることなくスプーン３０，３０Ａを取り出し、その状態でスプーン３０，３０Ａを持ちかえることなく使用することができる。また、使用後には計量スプーン３０，３０Ａを容器２に容易に固定することができ、保管中であってもスプーン３０，３０Ａが粉体中に潜り込むことがない。このため、２回目以降の使用時においても、指先が粉に触れることなくスプーン３０，３０Ａを取り出し、その状態でスプーン３０，３０Ａを持ちかえることなく使用することができる。
また、スプーン３０，３０Ａの前後の向きを入れ換えてもスプーン３０，３０Ａの固定が可能であり、スプーン３０，３０Ａの向きを選ぶ必要がない。
【００２０】
また、スプーン固定用突起４１の左右に設けられている位置決め突起４３の間隔をスプーン３０，３０Ａの先端部３５の幅あるいは後端部３３の幅と略同一か若干広くしておくことで、スプーン３０，３０Ａが左右にずれることを防止できる。
さらに、スプーンの先端部３５の幅と後端部３３の幅とを同一にしておくならば、一方のスプーン固定部４０の側の位置決め突起４３の間隔と、他方のスプーン固定部４０の側の位置決め突起４３の間隔とは同一でよい。先端部３５の幅と後端部３３の幅とが同一の場合はスプーンを左右どちら向きにしても収納できる。
スプーンの先端部３５の幅と後端部３３の幅とは同一にする必要はないので、先端部３５の幅と後端部３３の幅とが異なるときには、それらの幅に合わせてそれぞれの位置決め突起４３の間隔を調節すればよい。図４，図５に示すように、把持部３２の後端部３３の幅が計量部３１の先端部３５の幅より狭い場合、スプーン係止用凹所４２の広さ（スプーン固定用突起４１とつば部１７の内面の間隔）に対してスプーンの係合凸部３４の厚みをある程度を確保し、スプーン係止用凹所４２内における係合凸部３４の周りの隙間を小さくすれば、後端部３３の幅が位置決め突起４３の間隔に比べてかなり狭くても、スプーンのがたつきが抑制される。従って、両方の位置決め突起４３の間隔を同一にすることで、スプーンを左右どちら向きにしても収納できる。あるいは、後端部３３が収納される側の位置決め突起４３の間隔を後端部３３の幅に合わせて狭くすることもできるが、この場合はスプーンの収納方向が一方向に規定される。
【００２１】
図８〜図１３は、本発明のスプーン付き容器の第２形態例を示す図面であり、図８はスプーン付き容器の部分切欠斜視図、図９および図１０は容器の断面図、図１１および図１２は計量スプーンが容器に固定された状態を示す断面図、図１３はスプーンの長手方向に沿う断面図である。図８では、手前側のスプーン収納用段差部が見えるように、つば部の一部を切り欠いている。
【００２２】
図８に示すように、本形態例のスプーン付き容器１Ａは、収納部１１を有する容器本体１０と、この容器本体１０の開口部１２と嵌合する蓋２０と、容器本体１０と蓋２０との間に収納される計量スプーン５０（以下、計量スプーンを単に、スプーンということがある。）とを有する。容器本体１０と蓋２０とにより、容器２Ａが構成されている。
容器本体１０、蓋２０、およびスプーン５０は、適宜のプラスチックから、インジェクション成形、シート成形、あるいはブロー成形によって得ることができる。容器本体１０、蓋２０、およびスプーン５０の材質は、上記の成形方法に用いられるものであれば制限はなく、例えば、ポリプロピレン（ＰＰ）、ポリエチレン（ＰＥ）、ポリエチレンテレフタレート（ＰＥＴ）などが挙げられる。
【００２３】
図９，図１０に示すように、容器本体１０は、収納部１１の周囲を取り囲む側壁１３と、この側壁１３の一側を塞ぐ底部１４とにより、箱状に形成されている。側壁１３の底部１４とは反対側には、前記収納部１１に通じる開口部１２が開口している。
側壁１３は、開口部１２側から底部１４側に向かって横断面積が小さくなるように内側に傾斜している。これにより容器本体１０は、別の容器本体１０Ａ（図１０に二点鎖線で示す）をその底部１４Ａから積み重ね（スタッキング）が可能になっている。
スタッキングされた別の容器本体１０Ａの底部１４Ａを支持するため、容器本体１０の側壁１３の内側には、底部１４側から延びるリブ１５が一体に成形されている。
容器本体１０の開口部１２の周縁には、段差部１６を介して側壁１３から外側に突出したつば部１７が形成されている。また、このつば部１７の外面には、図９に示すように、ヒンジ軸受け部１８が突設されている。
【００２４】
図８等に示すように、蓋２０は、板状の蓋本体２１と、この蓋本体２１の周囲に形成された嵌合部２２と、嵌合部２２の外縁部に相対して設けられたヒンジ軸２３およびつまみ２４とを備えて構成されている。
嵌合部２２は、容器本体１０のつば部１７と嵌合可能に形成されている。蓋２０の嵌合部２２が容器本体１０のつば部１７と嵌合することにより、蓋２０が容器本体１０に対して着脱自在に嵌合し、開口部１２が密閉されるようになっている。
ヒンジ軸２３は、ヒンジ軸受け部１８に対して回動可能に取り付けられている。ヒンジ軸２３とヒンジ軸受け部１８によって容器本体１０と蓋２０を連結するヒンジが構成される。これによって、容器本体１０に対して蓋２０を自在に開閉することができる。
【００２５】
図８、図１３に示すように、スプーン５０は、粉体を計量するための計量部５１と、この計量部５１から延出された把持部５２とを備えて構成されている。把持部５２の後端部５３側には、計量部５１が開口する側（図１３の上側）の面に係合凹所５４が設けられている。また、計量部５１の先端部５５には、計量用段差部５７に対して垂直に設けられた端壁部５６が形成されている。
なお、本形態例のスプーン付き容器１Ａに適用できるスプーンの改変例として、図１４に示すスプーン５０Ａは、計量部５１の端壁部が省略されており、計量部５１の先端部５５には、スプーンの長手方向に延びる突出片５８が形成されている。
また、図１５に示すスプーン５０Ｂは、計量部５１の端壁部が省略されているとともに、スプーン５０Ｂの長手方向に延びる突出片５８と、該突出片５８の下方に形成された計量用段差部５７が設けられている。
計量用段差部５７を１つもつスプーン５０，５０Ｂによれば、計量部５１を全部満たした場合の量と、計量用段差部５７の高さまで充填する量とにより、計量可能な量を２通りから選択することができる。
なお、特に図示はしないが、計量用段差部５７は、計量部５１の開口面と底部との間に複数形成することもできる。例えば計量用段差部を２つもつスプーンによれば、計量部５１を全部満たした場合の量と、第１の計量用段差部の高さまで充填する量と、第２の計量用段差部の高さまで充填する量とにより、計量可能な量を３通りから選択することができる。
【００２６】
図８に示すように、本形態例のスプーン付き容器１Ａにおいて、容器本体１０の段差部１６には、開口部１２を介して相対する両側に、それぞれスプーン収納用段差部６１，６１が設けられている。一方のスプーン収納用段差部６１は、ヒンジ軸受け部１８の側に設けられており、他方のスプーン収納用段差部６１は、ヒンジ軸受け部１８とは反対の側に設けられている。ここでは、スプーン収納用段差部６１は、つば部１７の下部にある段差部１６と同一の高さの面になっているが、特にこれに限定されるものではない。
【００２７】
蓋２０の蓋本体２１には、蓋２０を閉じた状態でスプーン収納用段差部６１に対面する位置に、スプーン５０を固定するためのスプーン係止用突起６２を１つ以上有する。ここでは、スプーン係止用突起６２は、スプーン５０の計量部５１側と把持部５２側の両方に設けられている。計量部５１側のスプーン係止用突起６２は、スプーン５０の端壁部５６に係合するようになっており、把持部５２側のスプーン係止用突起６２は、スプーン５０の係合凹所５４に係合するようになっている。
【００２８】
図１１、図１２に示すように、スプーン５０は、計量部５１の先端部５５および把持部５２の後端部５３をスプーン収納用段差部６１に収納することにより、容器本体１０の開口部１２付近に載置することができる。また、蓋２０を閉じた状態では、スプーン係止用突起６２によってスプーン５０が係止され、スプーン５０の上方への移動が制限を受けるので、スプーン５０の脱落を防止することができる。
本形態例のスプーン付き容器１Ａにおいては、図１１に実線と二点鎖線とで図示するように、スプーン５０の向きを左右入れ換えてもスプーン５０の固定が可能であり、スプーン５０の向きを選ぶ必要がない。
なお、図１４および図１５に示すように、端壁部が省略されたスプーン５０Ａ，５０Ｂの場合、把持部５２側のスプーン係止用突起６２がスプーン５０Ａ，５０Ｂの係合凹所５４に係合することにより、スプーン５０Ａ，５０Ｂを確実に固定することができる。
【００２９】
それぞれのスプーン収納用段差部６１の両側には、スプーン収納用段差部６１に載置されたスプーン５０の横ずれを防止するための位置決め突起６３が形成されている。ここでは、位置決め突起６３は、容器本体１０の段差部１６とつば部１７との間の内隅部にリブ状に形成されている。
スプーン収納用段差部６１に粉体が入り込んだとしても、容易に収納部１１へと落として除去することができる。従って、スプーン５０の係止不良が防止される。
【００３０】
次に、本発明の第２形態例に係るスプーン付き容器１Ａの使用形態について説明する。
容器２Ａにスプーン５０を収納するには、図８に示すように、把持部５２の後端部５３を一方のスプーン収納用段差部６１の上に、計量部５１の先端部５５を他方のスプーン収納用段差部６１の上に載せる。そして、図１２に示すように、蓋２０を閉めることにより、スプーン５０が容器本体１０のスプーン収納用段差部６１と蓋２０のスプーン係止用突起６２との間に挟みこまれて固定される。
なお、粉体は、図９に示すように、スプーン５０が固定された状態で粉体の上面３がスプーン５０の下方となるまで充填することができる。なお、粉体の充填は、スプーン５０の取り付けの前または後に行うことができる。
【００３１】
本形態例のスプーン付き容器１Ａによれば、スプーン５０，５０Ａ，５０Ｂをスプーン収納用段差部６１とスプーン係止用突起６２とにより挟み込んで係止しているので、輸送時などに発生しうる振動や衝撃などによってスプーン５０，５０Ａ，５０Ｂが外れることがなく、スプーン５０，５０Ａ，５０Ｂが粉体中に潜り込むことがない。また、スプーン５０，５０Ａ，５０Ｂは、粉体をすくいやすいように、計量部５１が上向きに開口する姿勢で係止される。このため、初回開封使用時に指先が粉に触れることなくスプーン５０，５０Ａ，５０Ｂを取り出し、その状態でスプーン５０，５０Ａ，５０Ｂを持ちかえることなく使用することができる。また、使用後には計量スプーン５０，５０Ａ，５０Ｂを容器２Ａに容易に固定することができ、保管中であってもスプーン５０，５０Ａ，５０Ｂが粉体中に潜り込むことがない。このため、２回目以降の使用時においても、指先が粉に触れることなくスプーン５０，５０Ａ，５０Ｂを取り出し、その状態でスプーン５０，５０Ａ，５０Ｂを持ちかえることなく使用することができる。
また、スプーン５０，５０Ａ，５０Ｂの前後の向きを入れ換えてもスプーン５０，５０Ａ，５０Ｂの固定が可能であり、スプーン５０，５０Ａ，５０Ｂの向きを選ぶ必要がない。
【００３２】
また、スプーン収納用段差部６１の左右に設けられている位置決め突起６３の間隔をスプーン５０，５０Ａ，５０Ｂの先端部５５の幅あるいは後端部５３の幅と略同一か若干広くしておくことで、スプーン５０，５０Ａ，５０Ｂが左右にずれることを防止できる。
さらに、スプーンの先端部５５の幅と後端部５３の幅とを同一にしておくならば、一方のスプーン収納用段差部６１の側の位置決め突起６３の間隔と、他方のスプーン収納用段差部６１の側の位置決め突起６３の間隔とは同一でよい。先端部５５の幅と後端部５３の幅とが同一の場合はスプーンを左右どちら向きにしても収納できる。
スプーンの先端部５５の幅と後端部５３の幅とは同一にする必要はないので、先端部５５の幅と後端部５３の幅とが異なるときには、それらの幅に合わせてそれぞれの位置決め突起６３の間隔を調節すればよい。図１１，図１２に示すように、把持部５２の後端部５３の幅が計量部５１の先端部５５の幅より狭い場合、係止用突起６２とつば部１７の内面との間隔に対して、スプーンの係合凹所５４の後端側の壁部５３の厚みをある程度を確保し、隙間を小さくすれば、後端部５３の幅が位置決め突起６３の間隔に比べてかなり狭くても、スプーンのがたつきが抑制される。従って、両方の位置決め突起６３の間隔を同一にすることで、スプーンを左右どちら向きにしても収納できる。あるいは、後端部５３が収納される側の位置決め突起６３の間隔を後端部５３の幅に合わせて狭くすることもできるが、この場合はスプーンの収納方向が一方向に規定される。
【００３３】
図１６〜図２２は、本発明のスプーン付き容器の第３形態例を示す図面であり、図１６は容器の部分切欠斜視図、図１７および図１８は容器の断面図、図１９および図２０は計量スプーンが容器に固定された状態を示す断面図、図２１はスプーンの長手方向に沿う断面図、図２２（ａ）はスプーンの平面図、図２２（ｂ）はスプーンの正面図、図２２（ｃ）はスプーンの左側面図である。図１６では、手前側のスプーン収納用段差部が見えるように、つば部の一部を切り欠いている。
【００３４】
図１６に示すように、本形態例のスプーン付き容器１Ｂは、収納部１１を有する容器本体１０と、この容器本体１０の開口部１２と嵌合する蓋２０と、容器本体１０と蓋２０との間に収納される計量スプーン７０（以下、計量スプーンを単に、スプーンということがある。）とを有する。容器本体１０と蓋２０とにより、容器２Ｂが構成されている。
容器本体１０、蓋２０、およびスプーン７０は、適宜のプラスチックから、インジェクション成形、シート成形、あるいはブロー成形によって得ることができる。容器本体１０、蓋２０、およびスプーン７０の材質は、上記の成形方法に用いられるものであれば制限はなく、例えば、ポリプロピレン（ＰＰ）、ポリエチレン（ＰＥ）、ポリエチレンテレフタレート（ＰＥＴ）などが挙げられる。
【００３５】
図１７，図１８に示すように、容器本体１０は、収納部１１の周囲を取り囲む側壁１３と、この側壁１３の一側を塞ぐ底部１４とにより、箱状に形成されている。側壁１３の底部１４とは反対側には、前記収納部１１に通じる開口部１２が開口している。
側壁１３は、開口部１２側から底部１４側に向かって横断面積が小さくなるように内側に傾斜している。これにより容器本体１０は、別の容器本体１０Ａ（図１８に二点鎖線で示す）をその底部１４Ａから積み重ね（スタッキング）が可能になっている。
スタッキングされた別の容器本体１０Ａの底部１４Ａを支持するため、容器本体１０の側壁１３の内側には、底部１４側から延びるリブ１５が一体に成形されている。
容器本体１０の開口部１２の周縁には、段差部１６を介して側壁１３から外側に突出したつば部１７が形成されている。また、このつば部１７の外面には、図１７に示すように、ヒンジ軸受け部１８が突設されている。
【００３６】
図１６等に示すように、蓋２０は、板状の蓋本体２１と、この蓋本体２１の周囲に形成された嵌合部２２と、嵌合部２２の外縁部に相対して設けられたヒンジ軸２３およびつまみ２４とを備えて構成されている。
嵌合部２２は、容器本体１０のつば部１７と嵌合可能に形成されている。蓋２０の嵌合部２２が容器本体１０のつば部１７と嵌合することにより、蓋２０が容器本体１０に対して着脱自在に嵌合し、開口部１２が密閉されるようになっている。
ヒンジ軸２３は、ヒンジ軸受け部１８に対して回動可能に取り付けられている。ヒンジ軸２３とヒンジ軸受け部１８によって容器本体１０と蓋２０を連結するヒンジが構成される。これによって、容器本体１０に対して蓋２０を自在に開閉することができる。
【００３７】
図１６，図２１，図２２に示すように、スプーン７０は、粉体を計量するための計量部７１と、この計量部７１から延出された把持部７２とを備えて構成されている。
計量部７１の開口側より下方には第１の計量用段差部７７が形成されており、さらに第１の計量用段差部７７の下方には第２の計量用段差部７８が形成されている。このため、計量部７１を全部満たした場合の量と、第１の計量用段差部７７の高さまで充填する量と、第２の計量用段差部７８の高さまで充填する量とにより、計量可能な量を３通りから選択することができる。また、計量部７１の先端部７５には、第１の計量用段差部７７から上向きに突出された端壁部７６が形成されている。
把持部７２は、計量部７１が開口する側（図２１の上側）とは反対側の面に、把持部７２の周縁を残して肉盗みのための凹所７４が形成されており、把持部７２の後端部７３の厚さは、計量部７１先端の端壁部７６の高さと同程度に確保されている。
図１９に示すように、計量部７１の先端の端壁部７６および把持部７２の後端部７３は、容器本体１０のつば部１７の内面８４に沿うような形状になっており、この例では、スプーン７０の長手方向に対してほぼ垂直な端面を有している。
【００３８】
図１６に示すように、本形態例のスプーン付き容器１Ｂにおいて、容器本体１０の段差部１６には、開口部１２を介して相対する両側に、それぞれスプーン収納用段差部８１，８１が設けられている。一方のスプーン収納用段差部８１は、ヒンジ軸受け部１８の側に設けられており、他方のスプーン収納用段差部８１は、ヒンジ軸受け部１８とは反対の側に設けられている。ここでは、スプーン収納用段差部８１は、つば部１７の下部にある段差部１６と同一の高さの面になっているが、特にこれに限定されるものではない。
【００３９】
それぞれのスプーン収納用段差部８１の両側には、スプーン収納用段差部８１に載置されたスプーン７０の横ずれを防止するための位置決め突起８３が形成されている。ここでは、位置決め突起８３は、容器本体１０の段差部１６とつば部１７との間の内隅部にリブ状に形成されている。
スプーン収納用段差部８１に粉体が入り込んだとしても、容易に収納部１１へと落として除去することができる。従って、スプーン７０がスプーン収納用段差部８１に入り込んだ粉体の上に乗り上がって蓋２０を閉じるのに支障を来たすことが防止される。
【００４０】
図１９、図２０に示すように、スプーン７０は、計量部７１の先端部７５（詳しくは第１の計量用段差部７７の下面）および把持部７２の後端部７３をスプーン収納用段差部８１に収納することにより、容器本体１０の開口部１２付近に載置することができる。また、蓋２０を閉じた状態では、容器本体１０のスプーン収納用段差部８１に収納されたスプーン７０は、スプーン収納用段差部８１と蓋本体２１との間に支持される。
ここで図示した形態例では、図２０に示すように、蓋本体２１の下面はスプーン７０の若干上方に位置しており、蓋２０によってスプーン７０の上方への移動が制限を受けるので、スプーン７０の脱落を防止することができる。また、図１９に示すように、計量部７１の先端の端壁部７６および把持部７２の後端部７３が、容器本体１０の容器本体１０の側面（ここではつば部１７の内面８４）に近接して配置されるので、スプーン７０の長手方向（図１９の左右）におけるがたつきが抑制される。計量部７１の先端部７５および把持部７２の後端部７３は、容器本体１０の側面８４に沿うような形状になっているので、スプーン７０の長手方向が容器本体１０の側面の向かい合う方向に対して斜めになりにくく、また、多少斜めになっても先端部７５および後端部７３が容器本体１０の側面８４から離れにくい。スプーン７０の一端（先端部７５または後端部７３）が容器本体１０の側面８４に突き当たったとしても他端側がスプーン収納用段差部８１の上に残るようになっているので、スプーン収納用段差部８１からスプーン７０が抜け落ちることはない。この点では、計量部７１の先端部７５の幅がより広く確保されているほど、また、スプーン収納用段差部８１の幅（容器本体１０の側面８４に垂直な方向の寸法）が広いほど、有利である。
本形態例のスプーン付き容器１Ｂにおいては、図１９に実線と二点鎖線とで図示するように、スプーン７０の向きを左右入れ換えてもスプーン７０の固定が可能であり、スプーン７０の向きを選ぶ必要がない。
【００４１】
次に、本発明の第３形態例に係るスプーン付き容器１Ｂの使用形態について説明する。
容器２Ｂにスプーン７０を収納するには、図１６に示すように、把持部７２の後端部７３を一方のスプーン収納用段差部８１の上に、計量部７１の先端部７５を他方のスプーン収納用段差部８１の上に載せる。そして、図２０に示すように、蓋２０を閉めることにより、スプーン７０が容器本体１０のスプーン収納用段差部８１と蓋２０の蓋本体２１との間に支持される。蓋２０を閉める前には、スプーン７０をスプーン収納用段差部８１を載せるだけであり、載せ面の面積が広く確保することができるので着脱が容易である。閉蓋時には平坦な蓋本体２１がスプーン収納用段差部８１に対面させられるので、スプーン収納用段差部８１上でのスプーン７０の多少の位置のずれ（水平方向の位置ずれ）を許容でき、蓋２０を閉めやすい。
なお、粉体は、図１７に示すように、スプーン７０が固定された状態で粉体の上面３がスプーン７０の下方となるまで充填することができる。なお、粉体の充填は、スプーン７０の取り付けの前または後に行うことができる。
【００４２】
本形態例のスプーン付き容器１Ｂによれば、スプーン７０をスプーン収納用段差部８１と蓋２０との間に保持しているので、輸送時などに発生しうる振動や衝撃などによってスプーン７０が外れることがなく、スプーン７０が粉体中に潜り込むことがない。また、スプーン７０は、粉体をすくいやすいように、計量部７１が上向きに開口する姿勢で支持される。このため、初回開封使用時に指先が粉に触れることなくスプーン７０を取り出し、その状態でスプーン７０を持ちかえることなく使用することができる。また、使用後には計量スプーン７０を容器２Ｂに容易に固定することができ、保管中であってもスプーン７０が粉体中に潜り込むことがない。このため、２回目以降の使用時においても、指先が粉に触れることなくスプーン７０を取り出し、その状態でスプーン７０を持ちかえることなく使用することができる。
また、スプーン７０の前後の向きを入れ換えてもスプーン７０の固定が可能であり、スプーン７０の向きを選ぶ必要がない。
【００４３】
また、スプーン収納用段差部８１の左右に設けられている位置決め突起８３の間隔をスプーン７０の先端部７５の幅あるいは後端部７３の幅と略同一か若干広くしておくことで、スプーン７０が左右にずれることを防止できる。
さらに、スプーンの先端部７５の幅と後端部７３の幅とを同一にしておくならば、一方のスプーン収納用段差部８１の側の位置決め突起８３の間隔と、他方のスプーン収納用段差部８１の側の位置決め突起８３の間隔とは同一でよい。先端部７５の幅と後端部７３の幅とが同一の場合はスプーンを左右どちら向きにしても収納できる。
スプーンの先端部７５の幅と後端部７３の幅とは同一にする必要はないので、先端部７５の幅と後端部７３の幅とが異なるときには、それらの幅に合わせてそれぞれの位置決め突起８３の間隔を調節すればよい。図１９，図２０に示すように、把持部７２の後端部７３の幅が計量部７１の先端部７５の幅より狭い場合、容器本体１０のつば部１７の内面８４と計量部７１の先端部７５との間隔および容器本体１０のつば部１７の内面８４と計量部７１の後端部７３との間隔を十分に小さくすれば、後端部７３の幅が位置決め突起８３の間隔に比べてかなり狭くても、スプーンのがたつきが抑制される。従って、両方の位置決め突起８３の間隔を同一にすることで、スプーンを左右どちら向きにしても収納できる。あるいは、後端部７３が収納される側の位置決め突起８３の間隔を後端部７３の幅に合わせて狭くすることもできるが、この場合はスプーンの収納方向が一方向に規定される。
【００４４】
以上、本発明を好適な実施の形態に基づいて説明してきたが、本発明は上述の形態例に限定されるものではなく、本発明の要旨を逸脱しない範囲で種々の改変が可能である。
本発明においては、スプーンの先端部および後端部を支持するスプーン載置部が容器本体の開口部を介して相対する側面両側に設けられる。このスプーン載置部の例示として、第１の形態例では、容器本体の側壁上端部に上向きに突出されたスプーン固定用突起が用いられており、第２および第３の形態例ではスプーン収納用段差部が用いられているが、特にこれに限定されるものではない。
位置決め突起は、図示した実施形態においては板状の突起であったが、特にこれに限定されるものではなく、例えばピン状や柱状などであってもよい。また、スプーン収納用段差部に対して立ち上がるように突設された壁面あるいは容器本体の内側面（例えばつば部の内面）から開口部の内方に張り出した壁面などであっても、本発明における位置決め突起（位置決め部）として用いることが可能である。
本発明のスプーン付き容器によれば、スプーンの先端部と後端部をスプーン載置部に支持させ、スプーン載置部の両側に設けられた位置決め突起によってスプーンの幅方向の位置決めをし、閉蓋時に蓋をスプーン載置部に向かい合わせ、スプーンをスプーン載置部と蓋との間に保持するので、蓋が閉じている限りは、スプーン載置部からスプーンが脱落することはない。また、蓋を開ければ、スプーン載置部に対してスプーンを容易に着脱することができる。
【産業上の利用可能性】
【００４５】
本発明は、洗剤など、粉体が充填される容器に利用することができる。
【図面の簡単な説明】
【００４６】
【図１】本発明のスプーン付き容器の第１形態例を示す部分切欠斜視図である。
【図２】第１形態例に係るスプーン付き容器の容器を示し、スプーンの長手方向に沿う断面図である。
【図３】第１形態例に係るスプーン付き容器の容器を示し、スプーンの幅方向に沿う断面図である。
【図４】第１形態例に係るスプーン付き容器において計量スプーンが容器に固定された状態を示し、スプーンを平面視する方向に沿う断面図である。
【図５】第１形態例に係るスプーン付き容器において計量スプーンが容器に固定された状態を示し、スプーンの長手方向に沿う断面図である。
【図６】第１形態例に係るスプーン付き容器の計量スプーンを示し、スプーンの長手方向に沿う断面図である。
【図７】計量スプーンの改変例を示し、スプーンの長手方向に沿う断面図である。
【図８】本発明のスプーン付き容器の第２形態例を示す部分切欠斜視図である。
【図９】第２形態例に係るスプーン付き容器の容器を示し、スプーンの長手方向に沿う断面図である。
【図１０】第２形態例に係るスプーン付き容器の容器を示し、スプーンの幅方向に沿う断面図である。
【図１１】第２形態例に係るスプーン付き容器において計量スプーンが容器に固定された状態を示し、スプーンを平面視する方向に沿う断面図である。
【図１２】第２形態例に係るスプーン付き容器において計量スプーンが容器に固定された状態を示し、スプーンの長手方向に沿う断面図である。
【図１３】第２形態例に係るスプーン付き容器の計量スプーンを示し、スプーンの長手方向に沿う断面図である。
【図１４】計量スプーンの他の改変例を示し、スプーンの長手方向に沿う断面図である。
【図１５】計量スプーンのさらに他の改変例を示し、スプーンの長手方向に沿う断面図である。
【図１６】本発明のスプーン付き容器の第３形態例を示す部分切欠斜視図である。
【図１７】第３形態例に係るスプーン付き容器の容器を示し、スプーンの長手方向に沿う断面図である。
【図１８】第３形態例に係るスプーン付き容器の容器を示し、スプーンの幅方向に沿う断面図である。
【図１９】第３形態例に係るスプーン付き容器において計量スプーンが容器に固定された状態を示し、スプーンを平面視する方向に沿う断面図である。
【図２０】第３形態例に係るスプーン付き容器において計量スプーンが容器に固定された状態を示し、スプーンの長手方向に沿う断面図である。
【図２１】第３形態例に係るスプーン付き容器の計量スプーンを示し、スプーンの長手方向に沿う断面図である。
【図２２】第３形態例に係るスプーン付き容器の計量スプーンを示す（ａ）平面図、（ｂ）正面図、（ｃ）左側面図である。
【符号の説明】
【００４７】
１，１Ａ，１Ｂ…スプーン付き容器、１０，１０Ａ…容器本体、１１…収納部、１２…開口部、２０…蓋、３０，３０Ａ，５０，５０Ａ，５０Ｂ，７０…計量スプーン（スプーン）、３１，５１，７１…計量部、３２，５２，７２…把持部、３３，５３，７３…後端部、３４…係合凸部、３５，５５，７５…先端部、４１…スプーン固定用突起（スプーン載置部）、４３，６３，８３…位置決め突起、６１，８１…スプーン収納用段差部（スプーン載置部）、６２…スプーン係止用突起。
【図１】
2006111294.tif 000003
【図２】
2006111294.tif 000004
【図３】
2006111294.tif 000005
【図４】
2006111294.tif 000006
【図５】
2006111294.tif 000007
【図６】
2006111294.tif 000008
【図７】
2006111294.tif 000009
【図８】
2006111294.tif 000010
【図９】
2006111294.tif 000011
【図１０】
2006111294.tif 000012
【図１１】
2006111294.tif 000013
【図１２】
2006111294.tif 000014
【図１３】
2006111294.tif 000015
【図１４】
2006111294.tif 000016
【図１５】
2006111294.tif 000017
【図１６】
2006111294.tif 000018
【図１７】
2006111294.tif 000019
【図１８】
2006111294.tif 000020
【図１９】
2006111294.tif 000021
【図２０】
2006111294.tif 000022
【図２１】
2006111294.tif 000023
【図２２】
2006111294.tif 000024
【手続補正書】
【提出日】平成17年3月18日(2005.3.18)
【手続補正１】
【補正対象書類名】特許請求の範囲
【補正対象項目名】全文
【補正方法】変更
【補正の内容】
【特許請求の範囲】
【請求項１】
収納部を有する容器本体と、前記容器本体の開口部と嵌合する蓋と、前記容器本体と前記蓋との間に収納される計量スプーンとを有するスプーン付き容器において、
前記容器本体は、前記開口部を介して相対する側面両側に設けられて前記計量スプーンの先端部および後端部が載置される一対のスプーン載置部と、それぞれのスプーン載置部の両側に設けられた位置決め突起とを有し、
閉蓋時に、前記計量スプーンの前記スプーン載置部からの脱落が、前記スプーン載置部に対面する位置に配置された前記蓋によって防止されるようになっており、
容器本体一側の前記両位置決め突起間と容器本体他側の前記両位置決め突起間に対して、前記計量スプーンがその先端部と後端部を入れ換えて収納自在とされていることを特徴とするスプーン付き容器。
【請求項２】
収納部を有する容器本体と、前記容器本体の開口部と嵌合する蓋と、前記容器本体と前記蓋との間に収納される計量スプーンとを有するスプーン付き容器において、
前記容器本体は、前記開口部を介して相対する側面両側に設けられた一対のスプーン固定用突起と、それぞれのスプーン固定用突起の両側に設けられた位置決め突起とを有し、
前記計量スプーンの把持部の後端部には、該計量スプーンの計量部が開口する側とは反対側の面に、前記スプーン固定用突起と係合可能な係合凸部が設けられており、
閉蓋時に、前記容器本体のスプーン固定部と前記蓋とによって前記計量スプーンが固定されるようになっており、
容器本体一側の前記両位置決め突起間と容器本体他側の前記両位置決め突起間に対して、前記計量スプーンがその先端部と後端部を入れ換えて収納自在とされていることを特徴とするスプーン付き容器。
【請求項３】
前記スプーン固定用突起が容器本体の側壁上端部に上向きに突出されている請求項２に記載のスプーン付き容器。
【請求項４】
収納部を有する容器本体と、前記容器本体の開口部と嵌合する蓋と、前記容器本体と前記蓋との間に収納される計量スプーンとを有するスプーン付き容器において、
前記容器本体は、前記開口部を介して相対する側面両側に設けられて前記計量スプーンの先端部および後端部が載置される一対のスプーン収納用段差部と、それぞれのスプーン収納用段差部の両側に設けられた位置決め突起とを有し、
前記蓋には、前記スプーン収納用段差部に対面する位置に前記計量スプーンを係止するためのスプーン係止用突起を１つ以上有し、
閉蓋時に、前記容器本体のスプーン収納用段差部に収納された前記計量スプーンが、前記蓋のスプーン係止用突起によって係止されるようになっており、
容器本体一側の前記両位置決め突起間と容器本体他側の前記両位置決め突起間に対して、前記計量スプーンがその先端部と後端部を入れ換えて収納自在とされていることを特徴とするスプーン付き容器。
【請求項５】
収納部を有する容器本体と、前記容器本体の開口部と嵌合する蓋と、前記容器本体と前記蓋との間に収納される計量スプーンとを有するスプーン付き容器において、
前記容器本体は、前記開口部を介して相対する側面両側に設けられて前記計量スプーンの先端部および後端部が載置される一対のスプーン収納用段差部と、それぞれのスプーン収納用段差部の両側に設けられた位置決め突起とを有し、
閉蓋時に、前記計量スプーンの前記スプーン収納用段差部からの脱落が、前記蓋によって防止されるようになっており、
容器本体一側の前記両位置決め突起間と容器本体他側の前記両位置決め突起間に対して、前記計量スプーンがその先端部と後端部を入れ換えて収納自在とされていることを特徴とするスプーン付き容器。
【請求項６】
計量スプーンの先端部と後端部が同一幅とされていることを特徴とする請求項１ないし５のいずれかに記載のスプーン付き容器。
【請求項７】
容器本体一側の両位置決め突起の間隔と、容器本体他側の両位置決め突起の間隔とが同一であることを特徴とする請求項１ないし６のいずれかに記載のスプーン付き容器。
【手続補正２】
【補正対象書類名】明細書
【補正対象項目名】０００４
【補正方法】変更
【補正の内容】
【０００４】
前記課題を解決するため、本発明は、収納部を有する容器本体と、前記容器本体の開口部と嵌合する蓋と、前記容器本体と前記蓋との間に収納される計量スプーンとを有するスプーン付き容器において、前記容器本体は、前記開口部を介して相対する側面両側に設けられて前記計量スプーンの先端部および後端部が載置される一対のスプーン載置部と、それぞれのスプーン載置部の両側に設けられた位置決め突起とを有し、閉蓋時に、前記計量スプーンの前記スプーン載置部からの脱落が、前記スプーン載置部に対面する位置に配置された前記蓋によって防止されるようになっており、容器本体一側の前記両位置決め突起間と容器本体他側の前記両位置決め突起間に対して、前記計量スプーンがその先端部と後端部を入れ換えて収納自在とされていることを特徴とするスプーン付き容器を提供する。
【手続補正３】
【補正対象書類名】明細書
【補正対象項目名】０００５
【補正方法】変更
【補正の内容】
【０００５】
また、本発明は、収納部を有する容器本体と、前記容器本体の開口部と嵌合する蓋と、前記容器本体と前記蓋との間に収納される計量スプーンとを有するスプーン付き容器において、前記容器本体は、前記開口部を介して相対する側面両側に設けられた一対のスプーン固定用突起と、それぞれのスプーン固定用突起の両側に設けられた位置決め突起とを有し、前記計量スプーンの把持部の後端部には、該計量スプーンの計量部が開口する側とは反対側の面に、前記スプーン固定用突起と係合可能な係合凸部が設けられており、閉蓋時に、前記容器本体のスプーン固定部と前記蓋とによって前記計量スプーンが固定されるようになっており、容器本体一側の前記両位置決め突起間と容器本体他側の前記両位置決め突起間に対して、前記計量スプーンがその先端部と後端部を入れ換えて収納自在とされていることを特徴とするスプーン付き容器を提供する。
このスプーン付き容器においては、前記スプーン固定用突起が容器本体の側壁上端部に上向きに突出されていることが好ましい。
【手続補正４】
【補正対象書類名】明細書
【補正対象項目名】０００６
【補正方法】変更
【補正の内容】
【０００６】
また、本発明は、収納部を有する容器本体と、前記容器本体の開口部と嵌合する蓋と、前記容器本体と前記蓋との間に収納される計量スプーンとを有するスプーン付き容器において、前記容器本体は、前記開口部を介して相対する側面両側に設けられて前記計量スプーンの先端部および後端部が載置される一対のスプーン収納用段差部と、それぞれのスプーン収納用段差部の両側に設けられた位置決め突起とを有し、前記蓋には、前記スプーン収納用段差部に対面する位置に前記計量スプーンを係止するためのスプーン係止用突起を１つ以上有し、閉蓋時に、前記容器本体のスプーン収納用段差部に収納された前記計量スプーンが、前記蓋のスプーン係止用突起によって係止されるようになっており、容器本体一側の前記両位置決め突起間と容器本体他側の前記両位置決め突起間に対して、前記計量スプーンがその先端部と後端部を入れ換えて収納自在とされていることを特徴とするスプーン付き容器を提供する。
【手続補正５】
【補正対象書類名】明細書
【補正対象項目名】０００７
【補正方法】変更
【補正の内容】
【０００７】
また、本発明は、収納部を有する容器本体と、前記容器本体の開口部と嵌合する蓋と、前記容器本体と前記蓋との間に収納される計量スプーンとを有するスプーン付き容器において、前記容器本体は、前記開口部を介して相対する側面両側に設けられて前記計量スプーンの先端部および後端部が載置される一対のスプーン収納用段差部と、それぞれのスプーン収納用段差部の両側に設けられた位置決め突起とを有し、閉蓋時に、前記計量スプーンの前記スプーン収納用段差部からの脱落が、前記蓋によって防止されるようになっており、容器本体一側の前記両位置決め突起間と容器本体他側の前記両位置決め突起間に対して、前記計量スプーンがその先端部と後端部を入れ換えて収納自在とされていることを特徴とするスプーン付き容器を提供する。
【手続補正６】
【補正対象書類名】明細書
【補正対象項目名】０００８
【補正方法】変更
【補正の内容】
【０００８】
また、本発明は、上述のスプーン付き容器において、計量スプーンの先端部と後端部が同一幅とされていることを特徴とするスプーン付き容器を提供する。
また、本発明は、上述のスプーン付き容器において、容器本体一側の両位置決め突起の間隔と、容器本体他側の両位置決め突起の間隔とが同一であることを特徴とするスプーン付き容器を提供する。
【手続補正書】
【提出日】平成17年11月15日(2005.11.15)
【手続補正１】
【補正対象書類名】特許請求の範囲
【補正対象項目名】全文
【補正方法】変更
【補正の内容】
【特許請求の範囲】
【請求項１】
収納部を有する容器本体と、前記容器本体の開口部と嵌合する蓋と、前記容器本体と前記蓋との間に収納される計量スプーンとを有するスプーン付き容器において、
前記容器本体の前記収納部を取り囲む側壁は、前記開口部の周縁の少なくとも一部が互いに平行となるように前記開口部を介して相対する側面が形成されてなると共に、それら両側面の平行な部分に相対して設けられて前記計量スプーンの先端部および後端部が載置される一対のスプーン載置部と、それぞれのスプーン載置部の両側に設けられた位置決め突起とを有し、
閉蓋時に、前記計量スプーンの前記スプーン載置部からの脱落が、前記スプーン載置部に対面する位置に配置された前記蓋によって防止されるようになっており、
前記計量スプーンの先端部の幅を後端部の幅と同一又は後端部の幅よりも広くし、前記容器本体一側の両位置決め突起の間隔と、前記容器本体他側の両位置決め突起の間隔とを、それぞれ前記計量スプーンの先端部の幅と略同一か若干広くしておくことによって、前記容器本体一側の両位置決め突起間と前記容器本体他側の両位置決め突起間に対して、前記計量スプーンがその先端部と後端部を入れ換えて収納自在とされていることを特徴とするスプーン付き容器。
【請求項２】
前記容器本体は、前記開口部を介して相対する側面両側に設けられた一対のスプーン固定用突起を有し、
前記計量スプーンの把持部の後端部には、該計量スプーンの計量部が開口する側とは反対側の面に、前記スプーン固定用突起と係合可能な係合凸部が設けられていることを特徴とする請求項１に記載のスプーン付き容器。
【請求項３】
前記スプーン固定用突起が容器本体の側壁上端部に上向きに突出されている請求項２に記載のスプーン付き容器。
【請求項４】
前記蓋は、前記スプーン載置部に対面する位置に前記計量スプーンを係止するためのスプーン係止用突起を１つ以上有することを特徴とする請求項１に記載のスプーン付き容器。
【請求項５】
前記スプーン載置部は、前記両側面の平行な部分に相対して設けられた一対のスプーン収納用段差部であることを特徴とする請求項１〜４の何れか一項に記載のスプーン付き容器。
【手続補正２】
【補正対象書類名】明細書
【補正対象項目名】０００４
【補正方法】変更
【補正の内容】
【０００４】
前記課題を解決するため、請求項１に記載の発明は、収納部を有する容器本体と、前記容器本体の開口部と嵌合する蓋と、前記容器本体と前記蓋との間に収納される計量スプーンとを有するスプーン付き容器において、前記容器本体の前記収納部を取り囲む側壁は、前記開口部の周縁の少なくとも一部が互いに平行となるように前記開口部を介して相対する側面が形成されてなると共に、それら両側面の平行な部分に相対して設けられて前記計量スプーンの先端部および後端部が載置される一対のスプーン載置部と、それぞれのスプーン載置部の両側に設けられた位置決め突起とを有し、閉蓋時に、前記計量スプーンの前記スプーン載置部からの脱落が、前記スプーン載置部に対面する位置に配置された前記蓋によって防止されるようになっており、前記計量スプーンの先端部の幅を後端部の幅と同一又は後端部の幅よりも広くし、前記容器本体一側の両位置決め突起の間隔と、前記容器本体他側の両位置決め突起の間隔とを、それぞれ前記計量スプーンの先端部の幅と略同一か若干広くしておくことによって、前記容器本体一側の両位置決め突起間と前記容器本体他側の両位置決め突起間に対して、前記計量スプーンがその先端部と後端部を入れ換えて収納自在とされていることを特徴とするスプーン付き容器である。
また、請求項２に記載の発明は、前記容器本体が、前記開口部を介して相対する側面両側に設けられた一対のスプーン固定用突起を有し、前記計量スプーンの把持部の後端部には、該計量スプーンの計量部が開口する側とは反対側の面に、前記スプーン固定用突起と係合可能な係合凸部が設けられていることを特徴とする請求項１に記載のスプーン付き容器である。
また、請求項３に記載の発明は、前記スプーン固定用突起が容器本体の側壁上端部に上向きに突出されている請求項２に記載のスプーン付き容器である。
また、請求項４に記載の発明は、前記蓋が、前記スプーン載置部に対面する位置に前記計量スプーンを係止するためのスプーン係止用突起を１つ以上有することを特徴とする請求項１に記載のスプーン付き容器である。
また、請求項５に記載の発明は、前記スプーン載置部が、前記両側面の平行な部分に相対して設けられた一対のスプーン収納用段差部であることを特徴とする請求項１〜４の何れか一項に記載のスプーン付き容器である。
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】